(57)【要約】  型開き動作開始初期において上側ダイプレート１とともに上側コア３が上方へ移動する間、上側キャビティダイ２を弾性部材１０で下方へ付勢し、上側キャビティダイ２の下面を下側キャビティダイ６の上面に押し付けて接触状態を保持し、下側コア５の外径と上側コア３の外径の差を利用して、ガラス素子成形品４を下側コア５に残留させる。これにより、ガラス素子成形品４を確実に離型し、型開き時に下型に確実に残すことによって、円滑な成形品の取り出しおよび自動搬送を可能にする。
2007086558.tif 000002
【特許請求の範囲】
【請求項１】
上型および下型からなる一対の型間にガラス素子材料を配置して、前記一対の型および前記ガラス素子材料を加熱しプレスすることによりガラス素子を成形する成形装置におけるガラス素子の成形用金型において、
前記ガラス素子の上側成形面を形成された上側コアと、
前記ガラス素子の下側成形面を形成し、上側コアの外径より大きい外径を有する下側コアと、
前記上側コアの外周側面と摺動可能に嵌合する上側キャビティダイと、
前記下側コアの外周側面と摺動可能に嵌合する下側キャビティダイと、
前記上側コアおよび上側キャビティダイをそれらの上方側にて支持する上側ダイプレートと、
前記下側コアおよび下側キャビティダイをそれらの下方側にて支持する下側ダイプレートと、
型開き動作開始初期において前記上側ダイプレートとともに上側コアが上方へ移動する間、前記上側キャビティダイを下方へ付勢し、該上側キャビティダイの下面を前記下側キャビティダイの上面に押し付けて接触状態を保持し、前記下側コアと上側コアの外径の差を利用してガラス素子を前記下側キャビティダイ側に残留させる残留強制手段と、
を備えることを特徴とするガラス素子の成形用金型。
【請求項２】
前記残留強制手段は、
前記下側キャビティダイ上面と前記上側ダイプレートとの間に配置された弾性部材と、
前記上側ダイプレートが前記上側コアとともに上方に移動し前記上側キャビティダイとの間隔が所定間隔に達したときに、前記上側ダイプレートと前記上側キャビティダイとが一体で上方に移動可能なように前記上側キャビティダイを係止させる係止部と、
を備えたことを特徴とする請求項１に記載のガラス素子の成形用金型。
【請求項３】
前記係止部は、前記上側キャビティダイの上面部に螺合し、前記上側ダイプレートの下面と上側キャビティダイの上面との間を所定の間隔に規制するストッパボルトと、前記ストッパボルトの頭部が係止する係止段部を有し前記上側ダイプレートに形成された段付き穴とからなることを特徴とする請求項１に記載のガラス素子の成形用金型。
【請求項４】
前記ストッパボルトは、上側対プレートに上側コアを固定するボルトと同型の金型締結用のボルトからなることを特徴とする請求項３に記載のガラス素子の成形用金型。
【請求項５】
前記弾性部材は、セラミックスを含む耐熱弾性部材からなることを特徴とする請求項２に記載のガラス素子の成形用金型。
【請求項６】
前記耐熱弾性部材は、皿バネ、コイルバネ、板バネのいずれかを用いたことを特徴とする請求項５に記載のガラス素子の成形用金型。
【請求項７】
前記残留強制手段は、前記弾性部材に替わる、前記上側キャビティダイ２の上面を受圧面とする高圧エア供給部からなることを特徴とする請求項２に記載のガラス素子の成形用金型。
【請求項８】
前記残留強制手段は、前記弾性部材に替わる、エアシリンダからなることを特徴とする請求項２に記載のガラス素子の成形用金型。
【発明の詳細な説明】
【技術分野】
【０００１】
本発明は、ガラス素子成形用金型に係り、特に、曲率の大きな光学ガラス素子の成形や、離型が困難な形状をもつガラス素子の成形に使用する金型の構造に関する。
【背景技術】
【０００２】
ガラス素子の成形では、金型を加熱しプレス力を加え、金型の冷却を行う一連の工程を経てガラス素子が形成されるが、特に、曲率の大きな曲面をもつ光学素子を成形する場合や、離型の困難な形状のガラス素子を成形する場合には、冷却時に生じる金型の熱収縮によって、コアへの成形品の噛み込みが発生したり、割れたりすることがある。【０００３】
図５、図６は、この種のガラス素子の成形に用いられる一般的な従来の金型構造を示し、図５は、金型の型締の状態、図６は型開きの状態に対応させてそれぞれ一対の成形金型を示している。【０００４】
すなわち、図５、図６において、参照番号３、５は光学素子の成形面を有する一対の上側および下側コア若しくは図示しないガラス素子の成形面を有する一対のコアである。参照番号２、６は、前記一対の上側コア３、下側コア５と摺動可能に嵌合する一対の上側キャビティダイおよび下型キャビティダイ、参照番号１、７は前記一対の上側コア３、下側コア５並びに一対の上側キャビティダイ２、下側キャビティダイ６を支持する一対の上側ダイプレートおよび下側ダイプレート、参照番号４は、ガラス素子成形品を示している。【０００５】
ガラス素子成形品４の材料には、屈伏点６２０℃の硝材を使用し、６１０℃のときに金型を閉じて１５ｋＮでプレスし、５１０℃まで徐冷を行った後、０．５ｍｍ型開きを行う。この場合、図４に示されるように、ガラス素子成形品４は凸面の上型コア３に張り付いたまま、型開きが行われてしまう問題がある。【０００６】
また、成形型の有効成形面を傷つけることなく、成形部を均等に加熱または冷却しうる光学素子の成形装置が提案されている（特開平５−２８６７３２号公報）。この成形装置では、胴型の端面に１個以上の穴又は溝を設け、その中に上型を上方に付勢するスプリングを設置している。このスプリングは、上型の重量を支持している。光学素子材料は、上型、下型及び胴型の間でを加熱軟化され、シリンダーを下降させ、スプリングを締めながら圧力を加えて押圧成形することにより、光学素子が成形される。【０００７】
上記の図５、図６においては、前述したように、特に曲率の大きな曲面をもつ光学ガラス素子を成形する場合や離型の困難な形状のガラス素子を成形する場合には、冷却時の熱収縮によって上側コア３、下側コア５への成形品の噛み込みが発生したり、割れたりすることがある。そして、割れが発生する場合、上側コア３、下側コア５を傷つける可能性がある上、成形品４が上側コア３に張り付いたまま型開きをすることになったり、下側コア５から成形品の取出ができなくなる等の問題がある。これらの問題点は、金型から成形品を取り出し、自動搬送するときの障害となり、連続成形する上での大きな問題点となっていた。【０００８】
また、特開平５−２８６７３２号公報の成形装置では、同型の上部に、上型を上方に付勢するスプリングを設置して上型自体の荷重をバランスするようにして主として加圧時の上型の制御性を良好にすることについて提案されているが離型動作を改善することについての開示はない。
【発明の開示】
【０００９】
本発明者等は、上述した問題点を鋭意検討した結果、図３において、上側コア３に嵌合している上側キャビティダイ２を、上側コア３が上方へ移動する離型時に同コア３３に張り付いたままいっしょに移動させないようにすることで前記問題点は基本的に解決できることを見いだした。
【００１０】
したがって、本発明の目的は、ガラス素子成形品の貼り付きを強制的に離型し、同成形品の割れ、上下のコア破損を防止し、また、同成形品を確実に離型し、型開き時に下型に残すことによって円滑な自動搬送を可能として、連続した成形を可能とするガラス素子の成形用金型を提供することにある。
【００１１】
前記の目的を達成するために、本発明は、上型および下型からなる一対の型間にガラス素子材料を配置して、前記一対の型および前記ガラス素子材料を加熱しプレスすることによりガラス素子を成形する成形装置におけるガラス素子の成形用金型において、前記ガラス素子の上側成形面を形成された上側コアと、前記ガラス素子の下側成形面を形成し、上側コアの外径より大きい外径を有する下側コアと、前記上側コアの外周側面と摺動可能に嵌合する上側キャビティダイと、前記下側コアの外周側面と摺動可能に嵌合する下側キャビティダイと、前記上側コアおよび上側キャビティダイをそれらの上方側にて支持する上側ダイプレートと、前記下側コアおよび下側キャビティダイをそれらの下方側にて支持する下側ダイプレートと、型開き動作開始初期において前記上側ダイプレートとともに上側コアが上方へ移動する間、前記上側キャビティダイを下方へ付勢し、該上側キャビティダイの下面を前記下側キャビティダイの上面に押し付けて接触状態を保持し、前記下側コアと上側コアの外径の差を利用してガラス素子を前記下側キャビティダイ側に残留させる残留強制手段と、を備えることを特徴とするものである。
【００１２】
本発明の好適な実施形態によれば、前記残留強制手段は、前記下側キャビティダイ上面と前記上側ダイプレートとの間に配置された弾性部材と、前記上側ダイプレートが前記上側コアとともに上方に移動し前記上側キャビティダイとの間隔が所定間隔に達したときに、前記上側ダイプレートと前記上側キャビティダイとが一体で上方に移動可能なように前記上側キャビティダイを係止させる係止部と、を備えている。
【００１３】
前記係止部は、前記上側キャビティダイの上面部に螺合し、前記上側ダイプレートの下面と上側キャビティダイの上面との間を所定の間隔に規制するストッパボルトと、前記ストッパボルトの頭部が係止する係止段部を有し前記上側ダイプレートに形成された段付き穴とからなる。
【００１４】
前記弾性部材は、セラミックスを含む耐熱弾性部材、好ましくは、インコ社製のインコネルを材質とする皿バネが用いられる。皿バネの替わりに耐熱性のコイルバネ、板バネであってもよい。
【００１５】
本発明によれば、型開きを行ったときに、ガラス素子成形品が上側コアに張り付くことなく、確実に上側コアから離型し、下側コアに確実に残留させることができ、これにより、ガラス素子成形品の割れ、コアの破損を防止し、確実に片開き時に成形品を残すことにより、円滑な成形品の取り出し、自動搬送を可能し、成形サイクルを確実に連続させることができる。
【図面の簡単な説明】
【００１６】
【図１】図１は、本発明の実施形態による成形用金型の型締状態を示す縦断面図である。
【図２】図２は、図１の成形金型の型開き状態を示す縦断面図である。
【図３】図３は、本発明の成形用金型の変形例を示す縦断面図。
【図４】図４は、本発明の成形用金型の他の変形例を示す縦断面図。
【図５】図５は、従来の成形用金型の型締め時の状態を示す縦断面図である。
【図６】図６は、図５の成形用金型の型開き時の状態を示す縦断面図である。
【発明を実施するための最良の形態】
【００１７】
以下、本発明の実施形態に基づく１実施例について、添付の図面を参照しながら詳細に説明する。なお、図１、２における各参照番号のうち、図３、図４と同一の参照符号は同一構成部品を示しており、以下では主として図３、図４と相違する点を中心に説明する。  
図１、図２において、参照番号３、５は光学ガラス素子の成形面を有する一対の上側コア、下側コアである。参照番号２、６は、一対の上側コア３、下側コア５と摺動可能に嵌合する一対の上側キャビティダイおよび下型キャビティダイである。参照番号１、７は前記一対の上側コア３、下側コア５並びに一対の上側キャビティダイ２、下側キャビティダイ６を支持する一対の上側ダイプレート、下側ダイプレートを示す。参照番号４は、上側コア３の成形面と下側コア５の成形面の間に成形されるガラス素子成形品を示している。【００１８】
図１において、参照番号９は、上側コア３を上側ダイプレート１の下面に締結する固定用ボルトである。参照番号１０は、上側キャビティダイ２の上面に開口した凹部１０Aに収納されている耐熱性を有する弾性部材である。本実施形態では、弾性部材１０としてインコネル７１８（インコ社（International Nickel Company）の商品名）（縦弾性係数１９８２２０Ｎ／ｍｍ2、０．２ｍｍの撓みで２００Ｎ、使用温度範囲：室温〜６５０℃）の皿バネを使用し、繰り返し２０００回以上の耐久性を確認した。【００１９】
図１に示す成形用金型の型締め時の状態では、弾性部材１０の上端側は、上側ダイプレート１の下面に当接して圧縮されており、したがって、上側ダイプレート１の下面は、弾性部材１０の弾発力を受けた状態となっている。また、同じ大きさの反力が上側キャビティダイ２に作用し、上側キャビティダイ２を下方に付勢している。【００２０】
なお、上記弾性部材１０には、本実施形態で使用したインコネル７１８の皿バネを用いる代わりに、窒化珪素Ｓｉ3Ｎ4（使用温度範囲：室温〜１１５０℃）等のセラミック製品等耐熱材を材質とする耐熱性の皿バネ、コイルバネ、板バネ等の弾性部材でもよい。【００２１】
図１において、参照符号Ｄ１は、上側コア３の外径を示し、Ｄ２は下側コア５の外径を示している。ガラス素子成形品４に凹面を形成する上側コア３の外径D１と較べると、下側コア５の外径はより大きな寸法になっている。また、参照符号Ｚは、ガラス素子成形品４の外周部分を示す。上記のように、この上側コア３の外径D1と、下側コア５の外径D２に差があることによって段差が形成され、ガラス素子成形品４の外周部分Zの上面は上側キャビティダイ２の下面と接している。【００２２】
上側ダイプレート１と上側キャビティダイ２とは、ストッパボルト８で連結されている。上側ダイプレート１には、段付き穴１１が形成されており、この段付き穴１１にストッパボルト８が挿入されている。【００２３】
この場合、ストッパボルト８のネジ部が上側キャビティダイ２の上面部に螺合している。段付き穴１１には、途中に係止段部１１ａが形成されている。ストッパーボルト８の頭部下面と係止段部１１ａの着座面との間には、間隔Ｌが設けられている。ストッパーボルト８の頭部は、型開きしたときに、図２に示されるように、間隔Ｌだけ上側ダイプレート１が上昇されたとき前記着座面に係止されるようになっており、これにより、上側ダイプレート１の下面と上側キャビティダイ２の上面との間を間隔Ｌに規制することができる。【００２４】
なお、本実施形態では、ストッパボルト８は、固定用ボルト９と同じボルトであり、本来、上側ダイプレート１に上側キャビティダイ２を固定するボルトである。段付き穴１１にストッパボルト８を挿入して、上側キャビティダイ２にねじ込んでいくときに、完全に締結しないで間隔Ｌを設定すればよい。もちろん、間隔Ｌの調整も可能である。【００２５】
本実施形態によるガラス素子成形用金型は、以上のように構成されるものであり、次に、その作用並びに効果について説明する。  
プレス成形によりガラス素子成形品４を成形した後、図１の型締状態から型開き動作を行う。この型開き動作は図示していない上下動駆動装置に結合されている上側ダイプレート１が上方へ移動することにより行われる。【００２６】
図１において、上側ダイプレート１が上方へ移動し始めると、上側ダイプレート１と共に上側コア３も上方へ移動することになる。この間、上側キャビティダイ２は、弾性部材１０の弾発力により下方へ押し付けられているので、下側キャビティダイ６の上面と接触したままの状態が保たれるようになっている。したがって、ガラス素子成形品４の外周部分Ｚの上面は、上側キャビティダイ２の下面の段差によって規制されたまま、ガラス素子成形品４は位置を保持されている。これによって、凹面の曲率の大きなガラス素子成形品４であっても、割れや噛み込みが生じることなく、上側コア３の成形面から円滑に離型させることができる。【００２７】
さらに、上側ダイプレート１および上側コア３が間隔Ｌだけ上方に移動すると、ストッパーボルト８の頭部下面が係止段部１１ａの着座面と接触するに至る。その後は上側キャビティダイ２に上側コア３がストッパーボルト８を介して連結され、両者は共に上方へ移動する。その際、図２に示すように、上側キャビティ２の下面はそれまで接していたガラス素子成形品４の外周部分Ｚの上面から離れる。こうしてガラス素子成形品４は、割れや噛み込みが生じることなく、下側コア５上に強制的に残留されたままとなる。【００２８】
型開きが完了すると、下型コア５に残ったガラス素子成形品４は、図示しない製品取り出し装置によって取り出され、搬出場所に自動搬送されることになる。このように、型開きが行われると、ガラス素子成形品４を割れ、噛み込みなく必ず下側コア５上に残すことができるので、製品取り出し装置によるガラス素子成形品の取り出しを確実に行える。これにより、ガラス素子成形品が割れたり、上側コア３に張り付いたまま型開きがされるなどの事故がなくなり成形工程を中断することなく、連続したガラス素子成形品４の成形サイクルを連続して実施し、高効率で生産することができる。【００２９】
以上、弾性部材１０として、耐熱性材料からなるバネを用いた本発明の好適な実施例について説明したが、本発明は、種々の変形例が可能である。【００３０】
例えば、図３は、図１において弾性部材１０の代わりに、上側キャビティダイ２に設けた通路１８から凹部１０Ａに高圧エアーを供給して上側キャビティダイ２を下方に付勢するようにした例である。高圧エアは、上側キャビティダイ２の上面へ吹き付けるようにしてもよい。【００３１】
また、図４は、高圧エアーを供給する代わりに上側ダイプレート１にエアシリンダ２０を設け、そのロッド２１の端部を上側キャビティダイ２の上面に押し当てるようにして上側キャビティダイ２を下方へ付勢した例である。【００３２】
さらにまた、前記ロッド下端部に径太の頭部を設け、この頭部上面が上側キャビティダイ２に設けた着座部材により係止されるように構成して、図１のストロークストッパーボルト８の機能を兼ねるようにすることもできる。
【図１】
2007086558.tif 000003
【図２】
2007086558.tif 000004
【図３】
2007086558.tif 000005
【図４】
2007086558.tif 000006
【図５】
2007086558.tif 000007
【図６】
2007086558.tif 000008
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
上型および下型からなる一対の型間にガラス素子材料を配置して、前記一対の型および前記ガラス素子材料を加熱しプレスすることによりガラス素子を成形する成形装置におけるガラス素子の成形用金型において、
前記ガラス素子の上側成形面を形成された上側コアと、
前記ガラス素子の下側成形面を形成し、上側コアの外径より大きい外径を有する下側コアと、
前記上側コアの外周側面と摺動可能に嵌合する上側キャビティダイと、
前記下側コアの外周側面と摺動可能に嵌合する下側キャビティダイと、
前記上側コアおよび上側キャビティダイをそれらの上方側にて支持し、上下方向に移動する上側ダイプレートと、
前記下側コアおよび下側キャビティダイをそれらの下方側にて固定支持する下側ダイプレートと、
型開き動作開始直後に前記上側ダイプレートとともに前記上側コアのみが上方に移動し、前記上側キャビティダイとの間隔が所定間隔に達したときにはじめて前記上側ダイプレートと前記上側キャビティダイとが一体で上方に移動可能なように、前記上側ダイプレートに上側キャビティダイを係止させる係止手段と、
型開き動作開始初期において前記上側ダイプレートとともに上側コアが上方へ移動し、前記上側ダイプレートと前記上側キャビティダイとの間隔が前記所定間隔になるまでの間、前記上側キャビティダイを下方へ付勢し、該上側キャビティダイの下面と前記下側キャビティダイの上面およびガラス素子の外周部分との接触状態を維持し、ガラス素子の位置を保持したまま前記下側キャビティダイ側に該ガラス素子を残留させる残留強制手段と、を備え、
前記係止手段は、前記上側キャビティダイの上面部に螺合し、前記上側ダイプレートの下面と上側キャビティダイの上面との間を所定の間隔に規制するストッパボルトと、前記ストッパボルトの頭部が係止する係止段部を有し前記上側ダイプレートに形成された段付き穴とからなることを特徴とするガラス素子の成形用金型。
【請求項２】
前記残留強制手段は、
前記下側キャビティダイ上面と前記上側ダイプレートとの間に配置された弾性部材と、
成形されるガラス素子の外周部分の上面を規制するため、前記下側コアと上側コアの外径の差を利用して形成された前記上型キャビティダイ下面の段差と、
を備えたことを特徴とする請求項１に記載のガラス素子の成形用金型。
【請求項３】
（削除）
【請求項４】
前記ストッパボルトは、上側対プレートに上側コアを固定するボルトと同型の金型締結用のボルトからなることを特徴とする請求項１に記載のガラス素子の成形用金型。
【請求項５】
前記弾性部材は、セラミックスを含む耐熱弾性部材からなることを特徴とする請求項２に記載のガラス素子の成形用金型。
【請求項６】
前記耐熱弾性部材は、皿バネ、コイルバネ、板バネのいずれかを用いたことを特徴とする請求項５に記載のガラス素子の成形用金型。
【請求項７】
前記残留強制手段は、前記弾性部材に替わる、前記上側キャビティダイ２の上面を受圧面とする高圧エア供給部からなることを特徴とする請求項２に記載のガラス素子の成形用金型。
【請求項８】
前記残留強制手段は、前記弾性部材に替わる、エアシリンダからなることを特徴とする請求項２に記載のガラス素子の成形用金型。
【国際調査報告】
2007086558.tif 000009
2007086558.tif 000010